(57)【特許請求の範囲】
【請求項１】
入力された任意の繰り返し周期を有する被測定信号（ａ）を、この被測定信号の繰り返し周期より長い周期を有するサンプリング信号（ｂ）でサンプリングし、このサンプリングされた被測定信号の包絡線波形を求め、この包絡線波形から前記被測定信号の信号波形（ｄ）を求める波形測定装置において、
基準信号入力端子に印加されている基準信号を用いて前記被測定信号の繰り返し周波数を測定する周波数測定手段（１５）と、
この周波数測定手段で測定された繰り返し周波数を用いて前記サンプリング信号の周波数を設定するサンプリング周波数設定手段（２０）と、
基準信号入力端子に印加されている基準信号を用いて前記サンプリング周波数設定手段で設定された周波数に対応する周期を有するサンプリング信号を発生するサンプリング信号発生手段（１６）と、
基準信号を発生し、この基準信号を前記周波数測定手段の基準信号入力端子及び前記サンプリング信号発生手段の基準信号入力端子へ印加する、前記周波数測定手段および前記サンプリング信号発生手段とは独立して設けられた基準信号発振器（１４）とを備え、
前記周波数測定手段で測定された繰り返し周波数に対して前記サンプリング信号の周波数を任意の値に設定するとともに、前記周波数測定手段で測定された繰り返し周波数と前記サンプリング信号の周波数との間の周波数設定状態を維持する波形測定装置。
【発明の詳細な説明】
【０００１】
【発明の属する技術分野】
本発明は、入力された任意の繰り返し周期を有する被測定信号の信号波形を求める波形測定装置に関する。
【０００２】
【従来の技術】
任意の繰り返し周期を有する電気信号や光信号等からなる被測定信号の信号波形を測定する種々の測定手法が提唱されている。しかし、被測定信号の繰り返し周期、すなわち繰り返し周波数が１０ＧHzを超える高周波信号の場合、被測定信号の信号波形を直接オシロスコープ等の表示画面上で観察できないので、その波形測定手法の選択範囲は自ずと制限がある。
【０００３】
この繰り返し周波数ｆaが１０ＧHzを超える被測定信号の信号波形を測定する代表的手法を図６を用いて説明する。繰り返し周期Ｔa（例えば、繰り返し周波数ｆa＝１０ＧHz）を有する被測定信号ａを、この被測定信号ａの繰り返し周期Ｔaより長い周期Ｔb（例えば、繰り返し周波数ｆb＝９９９．９ＭHz）のサンプリング信号ｂでサンプリングする。この場合、繰り返し周期Ｔa、Ｔb相互間の関係を調整して、図６に示すように、時間経過と共に、被測定信号ａの繰り返し周期Ｔa内の信号波形におけるサンプリング信号ｂのサンプリング位置が微少時間ΔＴずつずれていくようにする。
【０００４】
したがって、このサンプリング信号ｂでサンプリングされた後の被測定信号ｃは、図示するように、サンプリング信号ｂに同期した位置にパルス状波形が出現する離散的波形となる。そして、この各パルス状波形の包絡線波形が被測定信号ａの時間軸方向に拡大された信号波形ｄとなる。
【０００５】
図６に示したサンプリング手法の原理で被測定信号ａの信号波形ｄを測定する波形測定装置は例えば図７に示すように構成されている。
繰り返し周波数ｆa（繰り返し周期Ｔa）を有する被測定信号ａはサンプリング回路１及び分周器２へ入力される。分周器２は、被測定信号ａの繰り返し周波数ｆaを１／ｎ（ｎ；正整数）に分周して位相比較器３へ送出する。電圧制御発振器（ＶＣＯ）４は、繰り返し周波数ｆaの１／ｎ（ｎ；正整数）の周波数（ｆa／ｎ）を有する信号を発生して位相比較器３へ帰還させる。
【０００６】
位相比較器３は、電圧制御発振器（ＶＣＯ）４の出力信号の位相と分周器２の出力信号の位相との位相差を検出して位相差信号として電圧制御発振器（ＶＣＯ）４へ送出する。このＰＬＬループによって、電圧制御発振器（ＶＣＯ）４からの出力信号の位相は被測定信号ａの位相に同期する。
【０００７】
電圧制御発振器（ＶＣＯ）４から出力された周波数（ｆa／ｎ）を有する出力信号の周波数（ｆa／ｎ）は次の固定の分周器５ａと固定の逓（てい）倍器５ｂとで［（ｆa／ｎ）―Δｆ］の周波数に変換されて、サンプリング信号発生回路６へ入力される。
【０００８】
サンプリング信号発生回路６は、入力された出力信号に同期する
繰り返し周波数ｆb＝［（ｆa／ｎ）―Δｆ］                …(1)
繰り返し周期  Ｔb＝［（ｎＴa）＋ΔＴ］                  …(2)
を有するサンプリング信号ｂをサンプリング回路１へ印加する。但し、ΔｆとΔＴとの関係は近似的に下式で示される。
【０００９】
Δｆ／ΔＴ＝ｆa2／ｎ2                                  …(3)
サンプリング回路１は、入力された被測定信号ａをサンプリング信号発生回路６から入力されたサンプリング信号ｂでサンプリングして、サンプリングされた被測定信号ｃを信号処理・波形表示部７へ送出する。
【００１０】
信号処理・波形表示部７は、入力されたサンプリングされた被測定信号ｃの包絡線波形を算出して、この包絡線波形の時間軸の目盛りを元の被測定信号aの目盛りに変換して、元の被測定信号aの信号波形ｄとして表示出力する。この場合、測定された包絡線波形の被測定信号aの信号波形ｄに対する拡大率は（ｆa／ｎΔｆ）である。
【００１１】
なお、被測定信号ａが電気信号でなくて、光信号の場合、この光信号を電気信号に変換して分周器２へ印加する。また、サンプリング回路１の代りに、例えば電界吸収型変調器を用いる。この電界吸収型変調器は、入射された光信号の進行方向に対してサンプリング信号によるパルス状の電界を印加することによって、入力された光信号からなるパルス状の被測定信号ａをサンプリングすることが可能である。そして、このサンプリングされた光信号からなる被測定信号ｃを電気信号に変換して信号処理・波形表示部７へ送出する。
【００１２】
【発明が解決しようとする課題】
しかしながら、図７に示すサンプリング手法を用いた波形測定装置においてもまだ解消すべき次のような課題があった。
【００１３】
すなわち、サンプリング信号発生回路６から出力される繰り返し周波数ｆb＝［（ｆa／ｎ）―Δｆ］を有するサンプリング信号ｂを作成するための逓（てい）倍器５ｂからの出力信号は、被測定信号ａを分周する分周器２と、位相比較器３と電圧制御発振器（ＶＣＯ）４とで構成されたＰＬＬ回路で作成される。すなわち、サンプリング信号ｂは測定対象の被測定信号ａを加工して作成されるので、サンプリング信号ｂは被測定信号ａに対して常に位相同期している。したがって、信号処理・波形表示部７に表示された被測定信号aの信号波形ｄにおけるジッタの発生量が抑制され、測定精度が向上する。
【００１４】
しかしながら、サンプリング信号ｂの繰り返し周波数ｆbは、前述した(1)、(3)式からも明らかのように、被測定信号ａの繰り返し周波数ｆaの関数で示される。このことは、サンプリング信号ｂの繰り返し周波数ｆbを被測定信号ａの繰り返し周波数ｆaに対して独立して任意に設定できない。よって、被測定信号ａの繰り返し周波数ｆaが変化すると、測定された被測定信号ａの信号波形ｄの時間分解能、すなわち測定精度が自動的に変化する。
【００１５】
このことは、被測定信号ａの信号波形ｄを任意の時間分解能で測定できないことを示す。また、各分周器２，５ａの仕様特性等に起因してサンプリング信号ｂの繰り返し周波数ｆbの選択範囲も大きく制限される。
【００１６】
さらに、被測定信号ａから直接サンプリング信号ｂを作成しているので、分周器２、位相比較器３、電圧制御発振器（ＶＣＯ）４、分周器５ａ、逓（てい）倍器５ｂからなる複雑な回路構成が必要になる。
【００１７】
本発明はこのような事情に鑑みてなされたものであり、被測定信号の繰り返し周波数の測定とサンプリング信号の作成とを共通の基準信号を用いて実施することにより、被測定信号をサンプリングするサンプリング信号の周波数を被測定信号の繰り返し周波数に対して独立して任意に設定できるとともに、被測定信号の繰り返し周波数に対する設定状態を正確に維持でき、被測定信号の信号波形の測定精度を向上でき、さらに、信号波形を任意の分解精度で測定できる波形測定装置を提供することを目的とする。
【００１８】
【課題を解決するための手段】
本発明は、入力された任意の繰り返し周期を有する被測定信号を、この被測定信号の繰り返し周期より長い周期を有するサンプリング信号でサンプリングし、このサンプリングされた被測定信号の包絡線波形を求め、この包絡線波形から被測定信号の信号波形を求める波形測定装置に適用される。
【００１９】
そして上記課題を解消するために、本発明の波形測定装置においては、基準信号入力端子に印加されている基準信号を用いて被測定信号の繰り返し周波数を測定する周波数測定手段と、この周波数測定手段で測定された繰り返し周波数を用いてサンプリング信号の周波数を設定するサンプリング周波数設定手段と、基準信号入力端子に印加されている基準信号を用いてサンプリング周波数設定手段で設定された周波数に対応する周期を有するサンプリング信号を発生するサンプリング信号発生手段と、基準信号を発生し、この基準信号を前記周波数測定手段の基準信号入力端子及び前記サンプリング信号発生手段の基準信号入力端子へ印加する、前記周波数測定手段および前記サンプリング信号発生手段とは独立して設けられた基準信号発振器とを備え、前記周波数測定手段で測定された繰り返し周波数に対して前記サンプリング信号の周波数を任意の値に設定するとともに、前記周波数測定手段で測定された繰り返し周波数と前記サンプリング信号の周波数との間の周波数設定状態を維持する。
【００２０】
このように構成された波形測定装置においては、入力された被測定信号の繰り返し周波数（繰り返し周期）は周波数測定手段で正確に測定される。測定された繰り返し周波数を用いてサンプリング信号の周波数が設定される。そして、設定された周波数の周期を有するサンプリング信号が作成される。
【００２１】
この場合、測定された被測定信号の繰り返し周波数に対して、サンプリング信号の周波数を任意の関係に設定可能であるので、被測定信号の信号波形を任意の分解能で測定できる。
【００２２】
さらに、被測定信号の繰り返し周波数の測定とサンプリング信号の作成とを共通の基準信号を用いて実施している。したがって、サンプリング信号は被測定信号に対して先に設定された周波数設定状態を正確に維持でき、波形測定精度を向上できる。
【００２３】
【発明の実施の形態】
以下、本発明の各実施形態を図面を用いて説明する。
（第１実施形態）
図１は本発明の第１実施形態に係わる波形測定装置の概略構成を示すブロック図である。
【００２４】
入力端子から入力された、例えば図６に示す繰り返し周期Ｔａ（繰り返し周波数ｆa）を有する光信号からなる被測定信号ａは、分波器１１で２方向に分波されて、一方はサンプリング回路としての電界吸収型変調器１２へ入射され、他方は受光器１３へ入射される。なお、この実施形態装置においては、被測定信号ａの繰り返し周波数ｆaは１０ＧHzに設定されている。
【００２５】
基準信号発振器１４は、例えば１０ＭHzの基準周波数ｆs（＝１０ＭHz）を有する基準信号ｈを発振して、この基準信号ｈを周波数カウンタ１５の基準信号入力端子へ印加する共に、サンプリング信号発生回路１６内の信号発生回路１７の基準信号入力端子に印加する。
【００２６】
受光器１３は入射された光信号の被測定信号ａを電気信号の被測定信号ａ1に変換して周波数カウンタ１５へ送出する。周波数カウンタ１５は、基準信号入力端子に印加されている基準信号ｈを利用して、入力された電気信号の被測定信号ａ1の繰り返し周波数ｆaを測定する。具体的には、基準信号ｈを分周して基準測定期間を作成し、この基準測定期間に入る被測定信号ａ1のクロック数（波形数）を計数する。周波数カウンタ１５は、測定した被測定信号ａの繰り返し周波数ｆaを制御部１９のサンプリング周波数設定部２０へ送出する。
【００２７】
制御部１９のサンプリング周波数設定部２０は、周波数カウンタ１５から入力された被測定信号ａの繰り返し周波数ｆaから前述した(1)式を用いて、サンプリング信号発生回路１６から出力されるサンプリング信号ｂの繰り返し周波数ｆbを算出する。
【００２８】
ｆb＝（ｆa／ｎ）―Δｆ                            …(1)
例えば、ｎ＝１０、Δｆ＝０．１ＭHzの条件下で測定値がｆa＝１０ＧHzの場合、サンプリング信号ｂの繰り返し周波数ｆbは、ｆb＝９９９．９ＭHzとなる。
【００２９】
サンプリング周波数設定部２０は、算出した繰り返し周波数ｆbをサンプリング信号発生回路１６の信号発生器１７に設定する。
【００３０】
サンプリング信号発生回路１６の信号発生器１７は、例えば、周波数シンセサイザで構成されており、基準信号入力端子に印加されている基準周波数ｆs（＝１０ＭHz）を有する基準信号ｈを逓（てい）倍又は分周することによって、任意の周波数の信号を作成可能である。具体的には、信号発生器１７は、制御部１９内のサンプリング周波数設定部２０から(1)式で示される指定されたサンプリング信号ｂの繰り返し周波数の周波数ｆbを有した正弦波の信号を作成する。
【００３１】
信号発生器１７から出力された周波数ｆbを有する正弦波形の信号は、次の波形整形回路１８で、図６に示すような繰り返し周波数ｆb（繰り返し周期Ｔb）を有するパルス波形状のサンプリング信号ｂに波形整形される。サンプリング信号発生回路１６から出力された繰り返し周波数ｆbを有するサンプリング信号ｂは電界吸収型変調器１２へ入力される。
【００３２】
電界吸収型変調器１２は、入射された光信号の被測定信号ａをサンプリング信号発生回路１６から入力されたサンプリング信号ｂでサンプリングして、サンプリングされた光信号の被測定信号ｃを受光器２１へ出射する。
【００３３】
受光器２１は、入射されたサンプリング後の光信号の被測定信号ｃを電気信号の被測定信号ｃ1に変換する。受光器２１から出力された被測定信号ｃ1はＡ／Ｄ器２２でデジタルのサンプリングされた被測定信号ｃ2にＡ／Ｄ変換されて、データ処理部２３へ入力される。
【００３４】
データ処理部２３は、入力されたサンプリングされた被測定信号ｃ2の包絡線波形を算出して、図２に示すように、この包絡線波形の時間軸の目盛りを元の被測定信号aの目盛りに変換して、被測定信号aの信号波形ｄとして表示部２４に表示出力する。
【００３５】
制御部１９の表示制御部２５は、表示部２４に表示された被測定信号aの信号波形ｄを監視し、信号波形ｄの表示位置を正常位置に自動修正する機能を有する。
具体的には、入力された被測定信号ａの繰り返し周波数ｆaと、信号発生器１７で作成される正弦波の信号の繰り返し周波数ｆbとが正確に(1)式を満たしていないことに起因して、表示部２４に表示された被測定信号aの信号波形ｄが表示画面上でドリフトする場合がある。制御部１９の表示制御部２５は、表示部２４に表示された被測定信号aの信号波形ｄを監視し、見かけ上、このドリフトが発生しないように、信号波形ｄの表示画面上の走査（スイープ）開始位置をその都度調整する。
【００３６】
このように構成された第１実施形態の波形測定装置においては、入力された被測定信号ａの繰り返し周波数ｆa（繰り返し周期Ｔa）は周波数カウンタ１５にて測定され、制御部１９のサンプリング周波数設定部２０にて、この測定された繰り返し周波数ｆaを前述した(1)式を用いて、サンプリング信号ｂの周波数ｆbを設定して、サンプリング信号発生回路１６の信号発生回路１７へ設定する。
【００３７】
この場合、(1)式におけるｎ、Δｆの値を適宜調整することによって、サンプリング信号ｂの周波数ｆbを被測定信号ａの繰り返し周波数ｆaに対して任意の関係を維持させることが可能である。言い換えれば、サンプリング信号ｂの周波数ｆbを、被測定信号ａの繰り返し周波数ｆaに独立して、任意の値に設定可能である。
【００３８】
また、周波数カウンタ１５とサンプリング信号発生回路１６の信号発生回路１７には基準信号ｈが印加されている。したがって、被測定信号ａの繰り返し周波数ｆaの測定とサンプリング信号ｂの作成とを共通の基準信号ｈを用いて実施している。したがって、先に設定されたサンプリング信号ｂの周波数ｆbと被測定信号ａの繰り返し周波数ｆaとの間の周波数設定状態を正確に維持でき、波形測定精度を向上できる。
【００３９】
さらに、上述したように、サンプリング信号ｂの周波数ｆbと被測定信号ａの繰り返し周波数ｆaとの間の周波数設定状態が正確に維持された状態において、被測定信号ａの位相が変動すると、図３に示すように、表示部２４に表示された実線で示す信号波形ｄが点線で示す信号波形ｄ’のように移動する。したがって、この移動量Ｔdを計測することによって、被測定信号ａにおける位相変動量φを把握できる。
【００４０】
また、前述したように、サンプリング信号ｂの周波数ｆbと被測定信号ａの繰り返し周波数ｆaとの関係が(1)式を満たさなくなると、表示部２４に表示された信号波形ｄが継続してドリフトする。
【００４１】
測定開始時刻から、例えば５〜１０秒の初期測定期間だけ、周波数カウンタ１５を稼働させて、サンプリング周波数設定部２０にて、(1)式を用いて正しいサンプリング信号ｂの周波数ｆbを求めて、サンプリング信号発生回路１６へ設定する。その初期測定期間経過後に、周波数カウンタ１５及びサンプリング周波数設定部２０の測定、演算動作を停止させ、サンプリング信号ｂの周波数ｆbを最初測定期間に求めた値に固定する。さらに、前述した表示制御部２５の表示調整動作を停止させる。
【００４２】
このようにな状態において、被測定信号ａの繰り返し周波数ｆaが初期測定期間から周波数ドリフトすると、この周波数ドリフトに対応して、表示部２４に表示された信号波形ｄが継続してドリフトする。したがって、表示部２４に表示された信号波形ｄの単位時間当たりのドリフト量を計測することによって、被測定信号ａにおける周波数変化量を把握できる。
【００４３】
（第２実施形態）
図４は本発明の第２実施形態に係わる波形測定装置の概略構成を示すブロック図である。図１に示した第１実施形態の波形測定装置と同一部には同一符号を付して、重複する部分の詳細説明を省略する。
【００４４】
この第２実施形態の波形測定装置においては、外部から入力された繰り返し周波数ｆaを有する被測定信号ａはそのまま電界吸収型変調器１２へ入射されると共に、分波器１１で分波されてクロック再生器２６へ入射される。
【００４５】
クロック再生器２６は、入射された光信号からなる被測定信号ａにおける繰り返し周期Ｔａの開始タイミング、すなわち、繰り返し周期Ｔａ（周波数ｆa）のクロックを検出して、入射された光信号からなる被測定信号ａを、周波数ｆa（繰り返し周波数）を有する電気信号である、図５（ｄ）に示す再生クロック信号ｇに変換して次の周波数カウンタ１５へ送出する。
【００４６】
周波数カウンタ１５は、入力された電気信号の再生クロック信号ｇの周波数（繰り返し周波数ｆa）を測定して、測定された繰り返し周波数ｆaのデータを制御部１９のサンプリング周波数設定部２０へ送出する。これ以降の動作は、図１に示した第１実施形態の波形測定装置の動作と同じである。
【００４７】
このように構成された第２実施形態の波形測定装置においても、周波数カウンタ１５で、被測定信号ａの繰り返し周波数ｆaが測定できるので、第１実施形態の波形測定装置と同様に、被測定信号ａの信号波形ｄを任意の分解精度で測定できる。
【００４８】
さらに、この第２実施形態の波形測定装置においては、クロック再生器２６を用いて、繰り返し周期Ｔａ（周波数ｆa）のクロックを検出して再生クロック信号ｇを周波数カウンタ２８へ送出している。すなわち、図５（ｂ）、（ｃ）の各波形に示すように、被測定信号ｚの波形は様々な形状を有しており、図５（ａ）の波形に示すように、繰り返し周期Ｔａ（周波数ｆa）毎に、明確な１個のピーク波形が存在するとは限らない。したがって、このような波形を有する被測定信号ａを周波数カウンタ２６で直接繰り返し周波数ｆa（繰り返し周期Ｔａ）を計数したとしても、誤って、多くのピーク波形や少ないピーク波形を計数してしまい、誤った繰り返し周波数ｆaを出力する懸念がある。
【００４９】
そこで、クロック再生器２６を用いて被測定信号ａのクロックを再生して図５（ｄ）に示す再生クロック信号ｇを得ることにより、たとえ、被測定信号ａが図５（ｂ）、（ｃ）に示す複雑な波形を有していたとしても、被測定信号ａの繰り返し周波数ｆa（繰り返し周期Ｔａ）を高い精度で検出できる。
【００５０】
なお、本発明は、上述した第１、第２の実施形態装置に限定されるものではない。各波形測定装置においては、周波数カウンタ１５で測定した被測定信号ａの繰り返し周波数ｆaを自動的に制御部１９のサンプリング周波数設定部２０へ設定するようにした。
【００５１】
しかしながら、周波数カウンタ１５の測定値（繰り返し周波数ｆa）を操作者（オペレータ）が目視で読取り、操作者（オペレータ）がマニュアル操作で制御部１９のサンプリング周波数設定部２０へ設定するようにしてもよい。
【００５２】
さらに、各実施形態装置においては、被測定信号ａは光信号であると仮定した。しかし、被測定信号ａは通常の電気信号であってもよい。この場合、電界吸収型変調器１２の代りに、図７に示す通常の電気信号に適用されるサンプリング回路１を採用し、さらに、受光器１３、２１を除去する。
【００５３】
【発明の効果】
以上説明したように、本発明の波形測定装置においては、周波数測定手段（１５）による被測定信号の繰り返し周波数の測定とサンプリング信号発生手段（１６）によるサンプリング信号の作成とを、当該周波数測定手段（１５）およびサンプリング信号発生手段（１６）とは独立して設けた基準信号発振器（１４）により発生する共通の基準信号を用いて実施している。
したがって、被測定信号をサンプリングするサンプリング信号の周波数を被測定信号の繰り返し周波数に対して独立して任意に設定できるとともに、被測定信号の繰り返し周波数に対する設定状態を正確に維持でき、被測定信号の信号波形の測定精度を向上でき、さらに、信号波形を任意の分解精度で測定できる。
【図面の簡単な説明】
【図１】本発明の第１実施形態に係わる波形測定装置の概略構成を示すブロック図
【図２】同第１実施形態の波形測定装置にて測定された被測定信号の信号波形を示す図
【図３】同じく第１実施形態の波形測定装置にて測定された被測定信号の信号波形を示す図
【図４】本発明の第２実施形態に係わる波形測定装置の概略構成を示すブロック図
【図５】同第２実施形態に係わる波形測定装置に組込まれたクロック再生器の効果を説明するための被測定信号及び再生クロック信号の波形図
【図６】被測定信号の信号波形をサンプリング手法を用いて求める原理を説明するための図
【図７】従来の波形測定装置の概略構成を示すブロック図
【符号の説明】
ａ…被測定信号
ｂ…サンプリング信号
ｄ…信号波形
ｇ…再生クロック信号
ｈ…基準信号
１１…分波器
１２…電界吸収型変調器
１３、２１…受光器
１４…基準信号発振器
１５…周波数カウンタ
１６…サンプリング信号発生回路
１７…信号発生器
１８…波形整形回路
１９…制御部
２０…サンプリング周波数設定部
２３…データ処理部
２４…表示部
２５…表示制御部
２６…クロック再生器
【図１】
0004659190.tif 000002
【図２】
0004659190.tif 000003
【図３】
0004659190.tif 000004
【図４】
0004659190.tif 000005
【図５】
0004659190.tif 000006
【図６】
0004659190.tif 000007
【図７】
0004659190.tif 000008